(57)【要約】【課題】熱による把持部の変形を抑制することができ、容易に把持部を把持して持ち運ぶことのできる画像形成装置を提供すること。【解決手段】  プリンタ１は、用紙Ｐにトナー像を転写するように構成される画像形成部３と、トナー像を用紙Ｐに定着するように構成される定着ユニット４と、開口４３を有し、画像形成部３および定着ユニット４を内部に収容する本体ケーシング２と、開口４３を介して外気を本体ケーシング２内に吸い込むように構成されるファン７５と、ファン７５によって外気が通過する開口４３、および、定着ユニット４の両方の近傍に配置されるハンドル５０とを備える。【選択図】図１
2015197522.tif 000002
【特許請求の範囲】
【請求項１】
記録媒体に現像剤像を転写するように構成される画像形成部と、
現像剤像を記録媒体に定着するように構成される定着器と、
開口を有し、前記画像形成部および前記定着器を内部に収容する筐体と、
前記開口を介して外気を前記筐体内に吸い込むように構成されるファンと、
前記ファンによって外気が通過する前記開口、および、前記定着器の両方の近傍に配置される把持部と
を備えることを特徴とする、画像形成装置。
【請求項２】
前記把持部は、
前記定着器に近接する第１位置と、
前記第１位置よりも前記定着器から離れる第２位置と
の間を移動するように構成されている
ことを特徴とする、請求項１に記載の画像形成装置。
【請求項３】
前記把持部は、前記第１位置と前記第２位置との間を回動するように構成されていることを特徴とする、請求項２に記載の画像形成装置。
【請求項４】
前記把持部は、
前記把持部の回動軸線方向に対して直交する直交方向に延びる第１部分と、
前記回動軸線方向に前記第１部分と間隔を空けて配置され、前記直交方向に延びる第２部分と、
前記第１部分および前記第２部分を連結する第３部分と
を備えている
ことを特徴とする、請求項３に記載の画像形成装置。
【請求項５】
前記第３部分は、前記把持部が前記第１位置に位置するときに、前記開口に対して近接していることを特徴とする、請求項４に記載の画像形成装置。
【請求項６】
前記第３部分は、前記開口に近接する角部が面取りされていることを特徴とする、請求項５に記載の画像形成装置。
【請求項７】
前記第１部分および前記第２部分は、前記把持部が前記第１位置に位置するときに、前記筐体と当接する当接部を備えていることを特徴とする、請求項４〜６のいずれか一項に記載の画像形成装置。
【請求項８】
前記筐体は、前記定着器よりも上方に配置される上壁を備え、
前記第３部分における前記回動軸線方向の中央部と前記上壁との間の距離は、前記第３部分における前記回動軸線方向の端部と前記上壁との間の距離よりも大きいことを特徴とする請求項４〜７のいずれか一項に記載の画像形成装置。
【請求項９】
前記筐体は、前記定着器よりも上方に配置される上壁を備え、
前記把持部は、前記上壁に備えられている
ことを特徴とする、請求項１〜８のいずれか一項に記載の画像形成装置。
【発明の詳細な説明】
【技術分野】
【０００１】
本発明は、記録媒体に画像を形成可能な画像形成装置に関する。
【背景技術】
【０００２】
画像形成装置として、筐体の内部に定着器を備える画像形成装置が知られている。
【０００３】
このような画像形成装置として、筐体の背面にハンドルを備えることにより、作業者が自在に持ち運び可能な画像形成装置が知られている（例えば、特許文献１参照）。
【先行技術文献】
【特許文献】
【０００４】
【特許文献１】特開２０１１−２３２６７０号公報
【発明の概要】
【発明が解決しようとする課題】
【０００５】
しかるに、上記した特許文献１に記載の画像形成装置において、用紙への画像の定着には、定着器から発生する熱を利用している。そのため、定着器から発生する熱によって、筐体内の空気の温度が上昇し、筐体自体が高温となる場合がある。そうすると、画像形成装置を持ち運ぶときに、筐体の熱がハンドルに伝達され、高温となることにより、ハンドルが変形したり、作業者が持ちづらくなるという不具合がある。
【０００６】
そこで、本発明の目的は、熱による把持部の変形を抑制することができ、容易に把持部を把持して持ち運ぶことのできる画像形成装置を提供することにある。
【課題を解決するための手段】
【０００７】
（１）上記した目的を達成するために、記録媒体に現像剤像を転写するように構成される画像形成部と、現像剤像を記録媒体に定着するように構成される定着器と、開口を有し、画像形成部および定着器を内部に収容する筐体と、開口を介して外気を筐体内に吸い込むように構成されるファンと、ファンによって外気が通過する開口、および、定着器の両方の近傍に配置される把持部とを備える。
【０００８】
このような構成によれば、ファンを稼働させることにより、把持部の近傍に配置される開口を介して、筐体外の空気を筐体内に取り込んでいる。
【０００９】
そのため、把持部の近傍に定着器を配置しながら、把持部の近傍の空気の温度上昇を抑制でき、把持部が高温になることを抑制することができる。
【００１０】
その結果、定着器の熱による把持部の変形を抑制することができ、容易に把持部を把持して、画像形成装置を持ち運ぶことができる。
（２）また、把持部は、定着器に近接する第１位置と、第１位置よりも定着器から離れる第２位置との間を移動可能に構成されていてもよい。
【００１１】
このような構成によれば、画像形成装置を設置するときには、把持部を第１位置に位置させることで、省スペース化を図ることができ、画像形成装置を持ち運ぶときには、把持部を第２位置に位置させることで、作業者が把持部に容易にアクセスすることができる。
【００１２】
また、把持部を定着器から離れる第２位置に位置させることによって、筐体から把持部への熱の伝達を抑制することができる。
（３）また、把持部は、第１位置と第２位置との間を回動するように構成されていてもよい。
【００１３】
このような構成によれば、把持部を回動させるという簡易な構成により、第１位置と第２位置との間を移動させることができる。
（４）また、把持部は、把持部の回動軸線方向に対して直交する直交方向に延びる第１部分と、回動軸線方向に第１部分と間隔を空けて配置され、直交方向に延びる第２部分と、第１部分および第２部分を連結する第３部分とを備えていてもよい。
【００１４】
このような構成によれば、把持部を回動させることで、第３部分を筐体から離れるように位置させることができるので、作業者はハンドルの第３部分を容易に把持することができ、画像形成装置を持ち運ぶことができる。
（５）また、第３部分は、把持部が第１位置に位置するときに、開口に対して近接していてもよい。
【００１５】
このような構成によれば、画像形成動作時に、把持部を第１位置に位置させることで、開口に対して近接させ、把持部が高温になることを抑制することができる。
【００１６】
そのため、画像形成動作実行直後であっても、把持部を第２位置に位置させて、容易に把持でき、画像形成装置を持ち運ぶことができる。
（６）また、第３部分は、開口に近接する角部が面取りされていてもよい。
【００１７】
このような構成によれば、空気が開口を通過するときに、把持部によって空気の流れが妨げられることを抑制することができるので、筐体の内外の空気を円滑に循環させることができる。
【００１８】
その結果、より確実に把持部の温度上昇を抑制することができる。
（７）また、第１部分および第２部分は、把持部が第１位置に位置するときに、筐体と当接する当接部を備えていてもよい。
【００１９】
このような構成によれば、把持部が第１位置に位置するときには、筐体に対して当接部を当接させて、把持部を筐体に対してより近接させることにより、確実に省スペース化を図ることができる。
（８）また、筐体は、定着器よりも上方に配置される上壁を備え、第３部分における回動軸線方向の中央部と上壁との間の距離は、第３部分における回動軸線方向の端部と上壁との間の距離よりも大きくてもよい。
【００２０】
このような構成によれば、開口によって、把持部が高温になることを抑制することができながら、把持部の第３部分から上壁までの距離を大きく確保することにより、より一層、把持部の温度上昇を抑制することができる。
（９）また、筐体は、定着器よりも上方に配置される上壁を備え、把持部は、上壁に備えられていてもよい。
【００２１】
このような構成によれば、把持部が画像形成装置の上方に配置されているので、作業者が把持部にアクセスし易く、画像形成装置を容易に持ち運ぶことができる。
【発明の効果】
【００２２】
本発明の画像形成装置では、熱による把持部の変形を抑制することができ、容易に把持部を把持して持ち運ぶことができる。
【図面の簡単な説明】
【００２３】
【図１】図１は、本発明の画像形成装置の第１実施形態としてのプリンタの中央断面図である。
【図２】図２Ａは、図１に示すプリンタを左後方から見た斜視図であって、可動トレイが排紙位置に位置し、ハンドルが第１位置に位置した状態を示す。図２Ｂは、図１に示すプリンタを左後方から見た斜視図であって、可動トレイが収容位置に位置し、ハンドルが第２位置に位置した状態を示す。
【図３】図３Ａは、図１に示すプリンタを右前方から見た斜視図であって、可動トレイが収容位置に位置し、ハンドルが第１位置に位置した状態を示す。図３Ｂは、図１に示すプリンタの正断面図である。なお、図３Ｂでは、便宜的に、プリンタ内の部材を一部省略している。
【図４】図４は、本発明の第２実施形態のプリンタの部分拡大図である。
【図５】図５Ａは、本発明の第３実施形態のプリンタを右前方から見た斜視図である。図５Ｂは、図５Ａに示すプリンタの正断面図である。
【図６】図６Ａは、本発明の第４実施形態のプリンタの背面図である。図６Ｂは、本発明の第５実施形態のプリンタの背面図である。
【図７】図７Ａは、本発明の第６実施形態のプリンタの背面図であって、スライドハンドルが第１位置に位置した状態を示す。図７Ｂは、図７Ａに示すプリンタの背面図であって、スライドハンドルが第２位置に位置した状態を示す。
【発明を実施するための形態】
【００２４】
１．プリンタの全体構成
図１に示すように、画像形成装置の一例としてのプリンタ１は、筐体の一例としての本体ケーシング２と、画像形成部３と、定着器の一例としての定着ユニット４とを備えている。
【００２５】
なお、以下の説明において、プリンタ１の方向に言及するときには、プリンタ１を設置面Ｓに載置した状態を上下の基準とする。すなわち、図１の紙面上方が上方であり、紙面下方が下方である。また、図１の紙面左方が前方であり、図１の紙面右方が後方である。また、プリンタ１を前方から見たときを左右の基準とする。すなわち、図１の紙面手前が右方であり、紙面奥が左方である。また、左右方向が軸線方向の一例である。
【００２６】
本体ケーシング２は、略ボックス形状を有している。
【００２７】
画像形成部３は、プロセスユニット５と、スキャナユニット６とを備えている。
【００２８】
プロセスユニット５は、本体ケーシング２内の上下方向略中央よりもやや下方に配置されている。プロセスユニット５は、ドラムユニット７と、現像ユニット８とを備えている。
【００２９】
ドラムユニット７は、感光ドラム９と、感光ドラム９の後下方に配置される転写ローラ１０と、感光ドラム９の上方に間隔を空けて配置されるスコロトロン型帯電器１１とを備えている。
【００３０】
現像ユニット８は、内部にトナーを収容しており、感光ドラム９の前方に配置される現像ローラ１２と、現像ローラ１２の前下方に配置される供給ローラ１３と、現像ローラ１２の前上方に配置される層厚規制ブレード１４とを備えている。
【００３１】
スキャナユニット６は、本体ケーシング２の上下方向略中央において、プロセスユニット５よりも前上方に配置されている。スキャナユニット６は、感光ドラム９に向けて画像データに基づくレーザービームＬを出射し、感光ドラム９の周面を露光する。
【００３２】
定着ユニット４は、本体ケーシング２の後上方部分において、プロセスユニット５よりも後上方に配置されている。定着ユニット４は、加熱ローラ１５と、加熱ローラ１５の後上方に配置される加圧ローラ１６とを備えている。
【００３３】
そして、プリンタ１に印刷ジョブが入力され、画像形成動作が開始されると、現像ユニット８内のトナーは、供給ローラ１３と現像ローラ１２との間で摩擦帯電され、層厚規制ブレード１４によって厚さが規制されて、一定厚さの薄層として現像ローラ１２の表面に担持される。
【００３４】
一方、感光ドラム９の表面は、スコロトロン型帯電器１１によって一様に帯電された後、スキャナユニット６によって露光される。これにより、画像データに基づく静電潜像が、感光ドラム９の表面に形成される。そして、現像ローラ１２に担持されるトナーが感光ドラム９の表面上の静電潜像に供給されることにより、感光ドラム９の表面上に現像剤像の一例としてのトナー像が担持される。
【００３５】
本体ケーシング２の底部に配置される給紙トレイ１７に載置された記録媒体の一例としての用紙Ｐは、各種ローラの回転により、所定のタイミングで１枚ずつ、感光ドラム９と転写ローラ１０との間に給紙される。そして、用紙Ｐには、感光ドラム９と転写ローラ１０との間を通過するときに、トナー像が転写され、画像が形成される。
【００３６】
続いて、用紙Ｐは、加熱ローラ１５と加圧ローラ１６との間を通過するときに加熱および加圧される。このとき、用紙Ｐには、画像が熱定着される。その後、用紙Ｐは、図２Ａおよび図３Ａに示すように、本体ケーシング２の上部に配置される排紙トレイ１８に排紙される。
【００３７】
このように用紙Ｐは、プリンタ１の画像形成動作において、給紙トレイ１７から排紙トレイ１８へ、側面視略Ｃ字状に搬送される。
２．本体ケーシングの詳細
本体ケーシング２は、図１および図３Ｂに示すように、右壁２１と、左壁２２と、前壁２３と、後壁２４と、上壁２５と、下壁２６とを備えている。
【００３８】
なお、以下の説明において、右壁２１および左壁２２における同一名称の部材において、右壁２１の部材の冒頭に右を、末尾にＲを付し、左壁２２の部材の冒頭に左を、末尾にＬを付すものとする。
【００３９】
右壁２１は、図３Ａおよび図３Ｂに示すように、本体ケーシング２の右端部に配置されている。右壁２１は、右アウタフレーム３０Ｒと、右インナフレーム３１Ｒとを備えている。
【００４０】
右アウタフレーム３０Ｒは、右壁２１の右方部分に配置されている。右アウタフレーム３０Ｒは、上下前後方向に延びる側面視略矩形の略板状を有している。右アウタフレーム３０Ｒの前端縁は、下方から上方に向かうにつれて、わずかに後方に傾斜している。右アウタフレーム３０Ｒの後端縁は、上下方向に沿って延びている。また、右アウタフレーム３０Ｒは、下方から上方に向かうにつれて、左方に傾斜している。右アウタフレーム３０Ｒは、通気部３３を備えている。
【００４１】
通気部３３は、右アウタフレーム３０Ｒの後上端部に配置されている。通気部３３は、複数の通気口３４を備えている。
【００４２】
複数の通気口３４は、上下方向に互いに間隔を空けて配置されている。通気口３４は、右アウタフレーム３０Ｒを、前後方向に延びる略直線状に貫通している。
【００４３】
つまり、通気部３３は、本体ケーシング２の内外を連通している。
【００４４】
右インナフレーム３１Ｒは、図３Ｂに示すように、右壁２１の左方部分であって、右アウタフレーム３０Ｒに対して、左方に間隔を空けて配置されている。右インナフレーム３１Ｒは、上下前後方向に延びる側面視略矩形の厚板形状を有している。右インナフレーム３１Ｒは、その上下方向寸法が右アウタフレーム３０Ｒの上下方向寸法よりも小さく、その上端部が右アウタフレーム３０Ｒの通気部３３よりも下方となるように配置されている。
【００４５】
そして、右壁２１において、右アウタフレーム３０Ｒと、右インナフレーム３１Ｒとの間の空間が、右エンクロージャ３６Ｒとして画定されている。
【００４６】
左壁２２は、図２Ａおよび図３Ｂに示すうように、本体ケーシング２の左端部に配置されている。左壁２２は、左アウタフレーム３０Ｌと、左インナフレーム３１Ｌとを備えている。
【００４７】
左アウタフレーム３０Ｌは、左壁２２の左方部分に配置されている。左アウタフレーム３０Ｌは、上下前後方向に延びる側面視略矩形の略板状を有している。左アウタフレーム３０Ｌは、左右方向に投影したときに、右アウタフレーム３０Ｒと、その外形が一致している。つまり、左アウタフレーム３０Ｌの前端縁は、下方から上方に向かうにつれて、わずかに後方に傾斜しており、左アウタフレーム３０Ｌの後端縁は、上下方向に沿って延びている。また、左アウタフレーム３０Ｌは、下方から上方に向かうにつれて、右方に傾斜している。
【００４８】
左インナフレーム３１Ｌは、図３Ｂに示すように、左壁２２の右方部分であって、左アウタフレーム３０Ｌに対して、右方に間隔を空けて配置されている。左インナフレーム３１Ｌは、上下前後方向に延びる側面視略矩形の厚板形状を有している。左インナフレーム３１Ｌは、その上下方向寸法が左アウタフレーム３０Ｌの上下方向寸法よりも小さく、その上端部が左アウタフレーム３０Ｌの上端部よりも下方となるように配置されている。
【００４９】
そして、左壁２２において、左アウタフレーム３０Ｌと、左インナフレーム３１Ｌとの間の空間が、左エンクロージャ３６Ｌとして画定されている。
【００５０】
前壁２３は、図１および図３Ａに示すように、本体ケーシング２の前端部に配置されている。前壁２３は、フロントフレーム３８と、フロントカバー３９とを備えている。
【００５１】
フロントフレーム３８は、前壁２３の後方部分であって、上下左右方向に延びる正面視略矩形の略板状を有している。フロントフレーム３８は、右アウタフレーム３０Ｒの前端部、および、左アウタフレーム３０Ｌの前端部の間に架設されている。これにより、フロントフレーム３８は、下方から上方に向かうにつれて、わずかに後方に傾斜している。フロントフレーム３８は、給紙口４０を有している。
【００５２】
給紙口４０は、フロントフレーム３８の下端部における左右方向略中央部分を、正面視略矩形状に貫通している。給紙口４０は、本体ケーシング２内に給紙される用紙Ｐが通過可能なサイズを有している。
【００５３】
フロントカバー３９は、前壁２３の前方部分であって、フロントフレーム３８の前面に隣接するように、フロントフレーム３８を前方から被覆している。フロントカバー３９は、フロントカバー３９を前後方向に投影したときに、その右端縁が右アウタフレーム３０Ｒの外面と面一であり、その左端縁が左アウタフレーム３０Ｌの外面と面一となる正面視略矩形の略板状を有している。また、フロントカバー３９は、その上端縁がフロントフレーム３８の上端部と一致しており、その下端縁がフロントフレーム３８の下端部よりもわずかに下方に突出している。そして、フロントカバー３９は、図１に示すように、その下端部を支点として、フロントカバー３９を被覆し、給紙口４０を閉鎖する閉鎖位置と、給紙口４０を開放する開放位置とに揺動可能に構成されている。
【００５４】
後壁２４は、図１および図２Ａに示すように、本体ケーシング２の後端部に配置されており、背面視略矩形の略板状を有している。後壁２４は、右アウタフレーム３０Ｒの後端部、および、左アウタフレーム３０Ｌの後端部の間に架設されている。これにより、後壁２４は、上下方向に沿って延びている。後壁２４は、開口４３を備えている。
【００５５】
開口４３は、後壁２４の上端部における左右方向略中央部分に配置されている。開口４３は、後壁２４を、左右方向に延びる略直線状に貫通している。つまり、開口４３は、本体ケーシング２の内外を連通している。より具体的には、開口４３は、定着ユニット４の近傍であり、かつ、定着ユニット４よりも上方に配置されており、後述する上壁２５のハンドル収容部４９のグリップ収容部６１に対して、下方に隣接している。
【００５６】
上壁２５は、本体ケーシング２の上端部に配置されており、平面視略矩形の略板状を有している。上壁２５は、右アウタフレーム３０Ｒの上端部、および、左アウタフレーム３０Ｌの上端部との間に架設されるとともに、その前端部がフロントフレーム３８の上端部に連続し、その後端部が後壁２４の上端部に連続している。上壁２５は、図２Ａおよび図３Ａに示すように、窪部４７と、可動トレイ４８と、ハンドル収容部４９と、把持部の一例としてのハンドル５０とを備えている。
【００５７】
窪部４７は、平面視における上壁２５の略中央部分から前端部にわたって、上壁２５の上面から下方に向かって窪んでいる。詳しくは、窪部４７は、可動トレイ収容部５３と、排紙部５４とを備えている。
【００５８】
可動トレイ収容部５３は、窪部４７の後方部分であって、上壁２５の上面から下方に向かって平面視略矩形状に窪んでいる。
【００５９】
排紙部５４は、可動トレイ収容部５３の前端部から連続して、上壁２５を上下方向に沿って下方に向かって屈折する後壁と、後壁の下端部から前上方に向かって屈折する前壁とからなり、側断面視略直角三角形状に窪んでいる。排紙部５４は、排紙口５５と、上部載置面５６とを備えている。
【００６０】
排紙口５５は、図３Ａに示すように、排紙部５４の後壁における左右方向略中央部分を、正面視略矩形状に貫通している。排紙口５５は、本体ケーシング２の内外を連通し、本体ケーシング２から排出される用紙Ｐの通過を許容可能なサイズを有している。
【００６１】
上部載置面５６は、図２Ａおよび図３Ａに示すように、排紙部５４の前壁において、後下方と前上方とを結ぶ方向に沿って延び、後上方に臨む面であって、排紙口５５から排出される用紙Ｐを載置可能に構成されている。
【００６２】
可動トレイ４８は、図２Ａおよび図２Ｂに示すように、平面視略矩形の略板状を有している。上部載置面５６の前上端部を支点として、排紙部５４を被覆し、可動トレイ収容部５３に収容される図２Ｂに示す収容位置と、上部載置面５６の前上端から前上方に向かって延びるように位置する図２Ａに示す排紙位置とに回動可能に構成されている。
【００６３】
そして、可動トレイ４８は、排紙位置に位置するときに、上部載置面５６とともに、上記した排紙トレイ１８として構成される。
【００６４】
ハンドル収容部４９は、図１および図２Ｂに示すように、上壁２５の上面における窪部４７の周縁部において、窪部４７の可動トレイ収容部５３を囲うように平面視略Ｕ字状を有し、下方に向かって窪んでいる。ハンドル収容部４９の上下方向寸法は、窪部４７の可動トレイ収容部５３の上下方向寸法よりも大きい。また、ハンドル収容部４９は、定着ユニット４の近傍に配置されている。詳しくは、ハンドル収容部４９は、右収容部５９と、左収容部６０と、グリップ収容部６１とから構成されている。
【００６５】
右収容部５９は、図２Ｂに示すように、窪部４７から右方に間隔を空けて配置され、上壁２５の上面から下方に向かって、前後方向に延びる略直線状に窪んでいる。右収容部５９は、前後方向において、可動トレイ収容部５３の前端部から、上壁２５の後端部にわたって延びている。
【００６６】
左収容部６０は、窪部４７から左方に間隔を空けて配置され、上壁２５の上面から下方に向かって、前後方向に延びる略直線状に窪んでいる。左収容部６０は、前後方向において、可動トレイ収容部５３の前端部から、上壁２５の後端部にわたって延びている。
【００６７】
グリップ収容部６１は、窪部４７の後端縁から連続して、上壁２５の後端部にわたって、上壁２５の上面から下方に向かって、左右方向に延びる略直線状に窪んでいる。グリップ収容部６１の左右両端部のそれぞれは、右収容部５９の後端部、および、左収容部６０の後端部に連続している。
【００６８】
ハンドル５０は、作業者が把持可能に構成されている。詳しくは、ハンドル５０は、図２Ａおよび図２Ｂに示すように、第１部分の一例としての右連結部６３と、第２部分の一例としての左連結部６４と、第３部分の一例としてのグリップ６５とを備えている。
【００６９】
右連結部６３は、その基端部がハンドル収容部４９の右収容部５９の前端部において左右方向に延びる回動軸Ａを支点として回動可能な略角柱形状を有している。つまり、右連結部６３は、回動軸Ａに対して直交する方向に延びている。右連結部６３は、右収容部５９に収容可能に構成されている。このとき、右連結部６３において、右収容部５９の上面と当接する面が、当接部の一例としての右当接面６６である。
【００７０】
左連結部６４は、その基端部がハンドル収容部４９の左収容部６０の前端部において、右連結部６３と同じ回動軸Ａを支点として回動可能な略角柱形状を有している。つまり、左連結部６４は、回動軸Ａに対して直交する方向に延びている。左連結部６４は、左収容部６０に収容可能に構成されている。このとき、左連結部６４において、左収容部６０の上面と当接する面が、当接部の一例としての右当接面６６である。
【００７１】
グリップ６５は、左右方向に延びる略角柱形状を有し、右連結部６３の遊端部、および、左連結部６４の遊端部を連結している。グリップ６５は、グリップ収容部６１に収容可能に構成されている。
【００７２】
こうして、ハンドル５０は、回動軸Ａを支点として回動可能な、略Ｕ字状を有しており、図２Ａに示すように、グリップ６５が上壁２５に近接し、ハンドル収容部４９に収容される第１位置と、図２Ｂに示すように、グリップ６５が上壁２５から離れるように立設される第２位置とに回動可能に構成されている。
【００７３】
なお、ハンドル５０が第１位置に位置しているときには、右連結部６３は右収容部５９に収容され、左連結部６４は左収容部６０に収容され、グリップ６５はグリップ収容部６１に収容される。このように、ハンドル５０が第１位置に位置しているとき、右連結部６３の右当接面６６が右収容部５９の上面と当接し、左連結部６４の左当接面６７が左収容部６０の上面と当接し、グリップ６５が開口４３に対して近接している。
【００７４】
また、ハンドル５０が第２位置に位置しているときには、右連結部６３および左連結部６４が、上壁２５に対して略９０°となり、グリップ６５が回動軸Ａの上方となるように配置される。つまり、グリップ６５は、ハンドル５０が第１位置に位置しているときよりも、上壁２５から離れている。
【００７５】
そして、作業者は、第２位置に位置するハンドル５０のグリップ６５を把持することで、プリンタ１を持ち運び可能である。
【００７６】
下壁２６は、図１に示すように、本体ケーシング２の下端部に配置されており、底面視略矩形の厚板形状を有している。つまり、下壁２６の下面は、設置面Ｓと上下方向において向かい合い接触している。下壁２６は、右アウタフレーム３０Ｒの下端部、および、左アウタフレーム３０Ｌの下端部の間に架設されるとともに、その前端部がフロントフレーム３８の下端部に連続し、その後端部が後壁２４の下端部に連続している。
【００７７】
下壁２６の前方部分における上面は、下部載置面７０として画定されている。
【００７８】
下部載置面７０の前端縁は、前壁２３のフロントカバー３９が開放位置に位置したときに、前壁２３のフロントフレーム３８の給紙口４０を介して、フロントカバー３９の前端縁と連続するように構成されている。つまり、下部載置面７０は、フロントカバー３９が開放位置に位置するときに、フロントカバー３９とともに、給紙トレイ１７として構成される。
【００７９】
また、本体ケーシング２において、図１に示すように、前後方向における後壁２４からフロントフレーム３８までの最大寸法Ｍ１は、Ａ４サイズの用紙Ｐの横の寸法２１０ｍｍよりも小さい。
【００８０】
また、上下方向における下壁２６から上壁２５までの最大寸法Ｍ２は、Ａ４サイズの用紙Ｐの縦の寸法２９７ｍｍよりも小さい。
【００８１】
つまり、前後方向における後壁２４からフロントフレーム３８までの最大寸法Ｍ１は、上下方向における下壁２６から上壁２５までの最大寸法Ｍ２よりも小さい。
【００８２】
また、図示しないが、給紙口４０の左右方向寸法、および、排紙口５５の左右方向寸法は、Ａ４サイズの用紙Ｐの横の寸法２１０ｍｍよりも大きい。
３．本体ケーシング内の空気の循環
（１）ファンの構成
プリンタ１は、図１および図３Ｂに示すように、ファン７５をさらに備えている。
【００８３】
ファン７５は、右エンクロージャ３６Ｒの後上方部分であって、通気部３３の左方に隣接するように配置されている。また、ファン７５は、左右方向に投影したときに、後壁２４の開口４３と前後方向に隣接しており、上下方向において、定着ユニット４よりも上方であり、後壁２４の開口４３と略同じ高さに配置されている。
【００８４】
ファン７５は、図示しない回転羽根を備えており、図示しない駆動源からの駆動力が伝達されることにより、図示しない回転羽根が回転し、本体ケーシング２内の空気を排出気流ｆ１で示す矢印に沿って、排出ように構成されている。
（２）空気の流れ
上記の画像形成動作において、定着ユニット４は、用紙Ｐ上のトナー像を用紙Ｐに熱定着する。そのため、定着ユニット４は、発熱しており、本体ケーシング２内の空気は、加熱される。
【００８５】
ここで、ファン７５が稼働していることにより、本体ケーシング２内の空気は、通気部３３の複数の通気口３４を介して、排出気流ｆ１で示す矢印に沿って、本体ケーシング２外に排出されている。
【００８６】
このとき、ファン７５によって本体ケーシング２外に排出された分の空気が、給紙口４０、排紙口５５、および、後壁２４の開口４３などの本体ケーシング２の内外を連通する隙間から、本体ケーシング２内へ流入される。
【００８７】
ここで、開口４３においては、流入気流ｆ２で示す矢印に沿って、本体ケーシング２内に空気が流入される。
【００８８】
そして、定着ユニット４の周囲において、図２Ａおよび図２Ｂに示すように、開口４３から流入気流ｆ２に沿って流入された空気が、図３Ｂに示すように、左方から右方に向かって流れ、排出気流ｆ１に沿って本体ケーシング２外に排出される。
【００８９】
こうして、本体ケーシング２内の空気の温度上昇、および、それに伴う本体ケーシング２自体の温度上昇が抑制され、本体ケーシング２が適正な使用状態に維持される。
４．作用効果
（１）このプリンタ１によれば、図２Ａおよび図２Ｂに示すように、ファン７５を稼働させることにより、本体ケーシング２外の空気を、ハンドル５０の近傍に配置される開口４３を介して、流入気流ｆ２に沿って取り込んでいる。
【００９０】
そのため、ハンドル５０の近傍に定着ユニット４を配置しながら、ハンドル５０の近傍の空気の温度上昇を抑制でき、ハンドル５０が高温になることを抑制することができる。
【００９１】
その結果、定着ユニット４の熱によるハンドル５０の変形を抑制することができ、容易にハンドル５０を把持して、プリンタ１を持ち運ぶことができる。
（２）また、このプリンタ１によれば、図１および図２Ａに示すように、プリンタ１を設置面Ｓに設置するときには、ハンドル５０を第１位置に位置させることで、省スペース化を図ることができ、プリンタ１を持ち運ぶときには、図２Ｂに示すように、ハンドル５０を第２位置に位置させることで、作業者がハンドル５０に容易にアクセスすることができる。
【００９２】
また、ハンドル５０を本体ケーシング２から離れる第２位置に位置させることによって、本体ケーシング２からハンドル５０への熱の伝達を抑制することができる。
（３）また、このプリンタ１によれば、図１に示すように、ハンドル５０を回動させるという簡易な構成により、第１位置と第２位置との間を移動させることができる。
（４）また、このプリンタ１によれば、図２Ｂに示すように、ハンドル５０を回動させることで、グリップ６５が本体ケーシング２から離れる第２位置に位置させることができるので、作業者はハンドル５０のグリップ６５を容易に把持することができ、プリンタ１を持ち運ぶことができる。
（５）また、このプリンタ１によれば、図２Ａに示すように、画像形成動作時に、ハンドル５０を第１位置に位置させることで、開口４３に対して近接させ、ハンドル５０が高温になることを抑制することができる。
【００９３】
そのため、画像形成動作実行直後であっても、図２Ｂに示すように、ハンドル５０を第２位置に位置させて、容易に把持でき、プリンタ１を持ち運ぶことができる。
（６）また、このプリンタ１によれば、図２Ａおよび図２Ｂに示すように、ハンドル５０が第１位置に位置するときには、右収容部５９に対して右連結部６３の右当接面６６を当接させ、左収容部６０に対して左連結部６４の左当接面６７を当接させて、ハンドル５０を本体ケーシング２に対してより近接させることにより、確実に省スペース化を図ることができる。
（７）また、このプリンタ１によれば、図１および図２Ｂに示すように、ハンドル５０が本体ケーシング２の上壁２５に備えられているので、作業者がハンドル５０にアクセスし易く、プリンタ１を容易に持ち運ぶことができる。
５．第２実施形態
図４を参照して、プリンタ１の第２実施形態を説明する。なお、第２実施形態において、上記した第１実施形態と同様の部材には同様の符号を付し、その説明を省略する。
（１）第２実施形態のプリンタの構成
プリンタ１は、切欠き部７９と、折返し部８０と、円弧部８２とを備えている。
【００９４】
切欠き部７９は、第１実施形態の開口４３に対して上方に隣接するグリップ収容部６１の後端部を、第１実施形態の開口４３と同一の左右方向寸法をもって、前方に向かって切り欠いている。これにより、第１位置に位置するハンドル５０のグリップ６５の後端部は、切欠き部７９に対して、上方から臨んでいる。
【００９５】
折返し部８０は、第１実施形態の開口４３の下端縁、すなわち後壁２４の上端縁から連続して、第１実施形態の開口４３と同一の左右方向寸法をもって、前方に屈折する平面視略矩形の略板状を有している。折返し部８０の前端縁は、前後方向において、切欠き部７９によって切り欠かれたグリップ収容部６１の後端縁と略同じ位置まで延びている。
【００９６】
そして、切欠き部７９によって切り欠かれたグリップ収容部６１の後端縁と、折返し部８０の前端縁とによって、本体ケーシング２の内外を連通する開口７８が画定されている。開口７８の上下左右方向は、第１実施形態の開口４３と略同一である。
【００９７】
円弧部８２は、第１位置に位置するハンドル５０のグリップ６５の後下端部を断面視略円弧状に面取りしている。つまり、グリップ６５の円弧部８２が、切欠き部７９に対して、上方から臨んでいる。
【００９８】
そして、上記した第１実施形態と同様に、ファン７５が稼働し、本体ケーシング２内の空気が通気部３３の複数の通気口３４を介して、排出されるときに、開口７８から、流入気流ｆ３に沿って、本体ケーシング２内に空気が流入される。
【００９９】
こうして、本体ケーシング２内の空気が循環される。
（２）第２実施形態の作用効果
第２実施形態によれば、図４に示すように、空気が開口７８を通過するときに、グリップ６５が円弧部８２を備えていることにより、ハンドル５０によって空気の流れが妨げられることを抑制することができ、本体ケーシング２の内外の空気を円滑に循環させることができる。
【０１００】
その結果、より確実にハンドル５０の温度上昇を抑制することができる。
【０１０１】
また、第２実施形態においても、上記した第１実施形態と同様の作用効果を得ることができる。
６．第３実施形態
図５Ａおよび図５Ｂを参照して、プリンタ１の第３実施形態を説明する。なお、第３実施形態において、上記した第１実施形態と同様の部材には同様の符号を付し、その説明を省略する。
（１）第３実施形態のプリンタの構成
プリンタ１は、左右１対の把持凹部８５と、左右１対の開口８８とを備えている。
【０１０２】
左右１対の把持凹部８５は、作業者が把持可能に構成されている。右方の把持凹部８５は、右壁２１の右アウタフレーム３０Ｒの右面中央から、左方に向かって側面視略矩形状に窪んでいる。左方の把持凹部８５は、右方の把持凹部８５と正面視において左右対称、かつ、左右方向に投影したときに重なっており、左壁２２の左アウタフレーム３０Ｌの左面中央から、右方に向かって側面視略矩形状に窪んでいる。左右１対の把持凹部８５のそれぞれは、作業者が把持可能なサイズを有している。また、把持凹部８５は、接触部分８６を備えている。
【０１０３】
接触部分８６は、作業者が把持凹部８５を把持してプリンタ１を持ち運ぶときに接触する部分であって、把持凹部８５の上壁に画定されている。
【０１０４】
右方の開口８８は、右壁２１の右アウタフレーム３０Ｒにおける把持凹部８５の上方に隣接配置されている。左方の開口８８は、右方の開口８８と正面視において左右対称、かつ、左右方向に投影したときに重なっており、左壁２２の左アウタフレーム３０Ｌにおける把持凹部８５の上方に配置されている。開口８８は、前後方向に間隔を空けて並列配置され、上下方向に延びる略直線状の複数のスリットから構成されている。つまり、開口８８は、本体ケーシング２の内外を連通している。
【０１０５】
そして、ファン７５が稼働し、本体ケーシング２内の空気が通気部３３の複数の通気口３４を介して、排出気流ｆ１で示す矢印に沿って排出されるときに、左右１対の開口８８から、排出気流ｆ４で示す矢印に沿って、本体ケーシング２内に空気が流入される。
（２）第３実施形態の作用効果
第３実施形態によれば、図５Ａおよび図５Ｂに示すように、ファン７５を稼働させることにより、本体ケーシング２外の空気を、左右１対の把持凹部８５のそれぞれの近傍に配置される開口８８を介して、排出気流ｆ４に沿って取り込んでいる。
【０１０６】
そのため、左右１対の把持凹部８５の近傍の空気の温度上昇を抑制でき、左右１対の把持凹部８５のそれぞれの接触部分８６が高温になることを抑制することができる。
【０１０７】
その結果、容易に左右１対の把持凹部８５を把持して、プリンタ１を持ち運ぶことができる。
【０１０８】
また、第３実施形態においても、上記した第１実施形態と同様の作用効果を得ることができる。
７．第４実施形態
図６Ａを参照して、プリンタ１の第４実施形態を説明する。なお、第４実施形態において、上記した第１実施形態と同様の部材には同様の符号を付し、その説明を省略する。
【０１０９】
プリンタ１において、ハンドル５０は、グリップ６５を備えておらず、湾曲グリップ９１を備えている。
【０１１０】
湾曲グリップ９１は、右連結部６３の遊端部、および、左連結部６４の遊端部を連結しており、上方に向かって略円弧状に湾曲する略角柱形状を有している。
【０１１１】
これにより、湾曲グリップ９１における左右方向中央から、グリップ収容部６１までの距離Ｍ３は、湾曲グリップ９１における左右方向端部から、グリップ収容部６１までの距離Ｍ４よりも大きくなっている。
【０１１２】
第４実施形態によれば、図６Ａに示すように、開口４３によって、ハンドル５０が高温になることを抑制することができながら、ハンドル５０の湾曲グリップ９１における左右方向中央から、本体ケーシング２のハンドル収容部４９のグリップ収容部６１までの距離Ｍ３を、湾曲グリップ９１における左右方向端部から、グリップ収容部６１までの距離Ｍ４よりも大きく確保することにより、より一層、ハンドル５０の温度上昇を抑制することができる。
【０１１３】
また、第４実施形態においても、上記した第１実施形態と同様の作用効果を得ることができる。
８．第５実施形態
図６Ｂを参照して、プリンタ１の第５実施形態を説明する。なお、第５実施形態において、上記した第１実施形態と同様の部材には同様の符号を付し、その説明を省略する。
【０１１４】
プリンタ１において、ハンドル収容部４９は、グリップ収容部６１を備えておらず、湾曲収容部９４を備えている。
【０１１５】
湾曲収容部９４は、上壁２５の後端部から後壁２４の上端部にかけて、本体ケーシング２内に向かって窪んでいる。具体的には、湾曲収容部９４は、背面視において、左右方向中央に向かうにつれて、第１位置に位置するハンドル５０のグリップ６５から離れるように下方に向かって略円弧状に湾曲している。湾曲収容部９４の左右両端部のそれぞれは、右収容部５９の後端部、および、左収容部６０の後端部に連続している。
【０１１６】
これにより、グリップ６５における左右方向中央から、湾曲収容部９４までの距離Ｍ５は、グリップ６５における左右方向端部から、湾曲収容部９４までの距離Ｍ６よりも大きくなっている。
【０１１７】
第５実施形態によれば、図６Ｂに示すように、開口４３によって、ハンドル５０が高温になることを抑制することができながら、ハンドル５０のグリップ６５における左右方向中央から、本体ケーシング２のハンドル収容部４９の湾曲収容部９４までの距離Ｍ５を、グリップ６５における左右方向端部から、湾曲収容部９４までの距離Ｍ６よりも大きく確保することにより、より一層、ハンドル５０の温度上昇を抑制することができる。
【０１１８】
また、第５実施形態においても、上記した第１実施形態と同様の作用効果を得ることができる。
９．第６実施形態
図７Ａおよび図７Ｂを参照して、プリンタ１の第６実施形態を説明する。なお、第６実施形態において、上記した第１実施形態と同様の部材には同様の符号を付し、その説明を省略する。
【０１１９】
プリンタ１は、ハンドル収容部４９およびハンドル５０を備えておらず、ハンドル収容部９７と、把持部の一例としてのスライドハンドル９８とを備えている。
【０１２０】
ハンドル収容部９７は、後壁２４の上端部から上壁２５の後端部にわたって配置されている。ハンドル収容部９７は、定着ユニット４の近傍に配置されている。詳しくは、ハンドル収容部９７は、右収容部１００と、左収容部１０１と、グリップ収容部１０２とから構成されている。
【０１２１】
右収容部１００は、ハンドル収容部９７の左端部に配置され、上壁２５の上面から下方に向かって、上下方向に延びる略直線状に窪んでいる。
【０１２２】
左収容部１０１は、ハンドル収容部９７の右端部に配置され、上壁２５の上面から下方に向かって、上下方向に延びる略直線状に窪んでいる。
【０１２３】
グリップ収容部１０２は、上壁２５の後端部における上面から下方に向かって、左右方向に延びる略直線状に窪んでいる。グリップ収容部１０２の左右両端部のそれぞれは、右収容部１００の上端部、および、左収容部１０１の上端部に連続している。
【０１２４】
スライドハンドル９８は、作業者が把持可能に構成されている。詳しくは、スライドハンドル９８は、第１部分の一例としての右連結部１０４と、第２部分の一例としての左連結部１０５と、第３部分の一例としてのグリップ１０６とを備えている。
【０１２５】
右連結部１０４は、ハンドル収容部９７の右収容部１００に収容可能な略角柱形状を有している。
【０１２６】
左連結部１０５は、ハンドル収容部９７の左収容部１０１に収容可能な略角柱形状を有している。
【０１２７】
グリップ１０６は、左右方向に延びる略角柱形状を有し、右連結部１０４の上端部、および、左連結部１０５の上端部を連結している。グリップ１０６は、グリップ収容部１０２に収容可能に構成されている。
【０１２８】
こうして、スライドハンドル９８は、上下方向にスライド移動可能な、略Ｕ字状を有しており、図７Ａに示すように、グリップ１０６が上壁２５に近接し、ハンドル収容部９７に収容される第１位置と、図７Ｂに示すように、グリップ１０６が上壁２５から離れるように立設される第２位置とにスライド可能に構成されている。
【０１２９】
なお、スライドハンドル９８が第１位置に位置しているときには、右連結部１０４は右収容部１００に収容され、左連結部１０５は左収容部１０１に収容され、グリップ１０６はグリップ収容部１０２に収容される。
【０１３０】
また、スライドハンドル９８が第２位置に位置しているときには、スライドハンドル９８は、ハンドル収容部９７から上方に引き出されており、グリップ１０６は、スライドハンドル９８が第１位置に位置しているときよりも、上壁２５から離れている。
【０１３１】
そして、作業者は、第２位置に位置するスライドハンドル９８のグリップ１０６を把持することで、プリンタ１を持ち運び可能である。
【０１３２】
第６実施形態においても、上記した第１実施形態と同様の作用効果を得ることができる。
【符号の説明】
【０１３３】
１      プリンタ
２      本体ケーシング
３      画像形成部
４      定着ユニット
２５    上壁
２６    下壁
４３    開口
５０    ハンドル
６３    右連結部
６４    左連結部
６５    グリップ
６６    右当接面
６７    左当接面
７８    開口
８５    把持凹部
８８    開口
９１    湾曲グリップ
９８    スライドハンドル
１０４  右連結部
１０５  左連結部
１０６  グリップ
【図１】
2015197522.tif 000003
【図２】
2015197522.tif 000004
【図３】
2015197522.tif 000005
【図４】
2015197522.tif 000006
【図５】
2015197522.tif 000007
【図６】
2015197522.tif 000008
【図７】
2015197522.tif 000009